(57)【要約】【課題】汚物の排出性能が向上すると共に節水が可能な水洗大便器を提供する。【解決手段】本発明の水洗大便器は、加圧した洗浄水によって洗浄される水洗大便器１であって、ボウル部１２と、このボウル部上縁のリム部に設けられ洗浄水を吐出するリム吐水口１８，１８ａ，１８ｂと、サイホン作用により汚物を排出する排水トラップ管路１４とを備えた便器本体２と、洗浄水を貯水する貯水タンク３２と、この貯水タンクに貯水された洗浄水を加圧してディストリビュータ１６を介してリム吐水口１８に供給する加圧ポンプ３４と、サイホン作用によりボウル部１２の溜水面Ｓが低下するとき、ボウル部の溜水面の位置が所定レベルＳ１以下に低下しないように、加圧ポンプを制御して必要な流量の洗浄水を供給するコントローラ４０と、を有する。【選択図】図３
2008240323.tif 000002
【特許請求の範囲】
【請求項１】
加圧した洗浄水によって洗浄される水洗大便器であって、
ボウル部と、このボウル部上縁のリム部に設けられ洗浄水を吐出するリム吐水口と、サイホン作用により汚物を排出する排水トラップ管路とを備えた便器本体と、
洗浄水を貯水する貯水タンクと、
この貯水タンクに貯水された洗浄水を加圧してリム導水路を介して上記リム吐水口に供給する加圧ポンプと、
サイホン作用によりボウル部の溜水面が低下するとき、ボウル部の溜水面の位置が所定レベル以下に低下しないように、上記加圧ポンプを制御して必要な流量の洗浄水を供給するポンプ制御手段と、
を有することを特徴とする水洗大便器。
【請求項２】
上記ポンプ制御手段は、サイホン作用が発生するまでは比較的大流量の第１の流量の洗浄水を供給し、サイホン作用発生後は比較的小流量の第２の流量の洗浄水を供給するように上記加圧ポンプを制御する請求項１記載の水洗大便器。
【請求項３】
上記リム吐水口は、上記ボウル部に洗浄水の旋回流を形成するための第１リム吐水口及び上記排水トラップ管路の入口へ向かって洗浄水を流下させるための第２リム吐水口を有する請求項１又は請求項２に記載の水洗大便器。
【請求項４】
更に、上記第１リム吐水口と第２リム吐水口へ供給する洗浄水の量を分配する上記リム導水路に設けられた切替弁と、を有する請求項３に記載の水洗大便器。
【請求項５】
上記リム導水路及びリム吐水口は、一体で形成されたディストリビュータであり、このディストリビュータが上記便器本体にその一部として組み込まれている請求項１乃至４の何れか１項に記載の水洗大便器。
【発明の詳細な説明】
【技術分野】
【０００１】
本発明は、水洗大便器に係り、特に、加圧した洗浄水によって洗浄される水洗大便器に関する。
【背景技術】
【０００２】
従来から、特許文献１に記載されているように、貯水タンクとポンプを設け、貯水タンク内の洗浄水をタンクで加圧し、その加圧された洗浄水を便器本体のリム流路とゼット流路へ供給して便器本体のボウル面を洗浄するようにしたサイホンゼット便器である水洗大便器が知られている。この特許文献１の水洗大便器では、リム流路とゼット流路への給水量及び給水タイミングを調整できるようになっている。
【０００３】
また、特許文献２に記載されているように、貯水タンクとポンプを設け、貯水タンク内の洗浄水をタンクで加圧し、その加圧された洗浄水を便器本体のリム流路から吐水して、便器のボウル面を洗浄するようにした簡易水洗便器が知られている。この簡易水洗便器では、タンク、ポンプ、リム流路、ボウル面の順序で洗浄水を流すだけの構造であるため、ポンプ制御のみで洗浄水が制御できるようになっている。
【０００４】
【特許文献１】特許第３５４２６２２号公報
【特許文献２】特開第２９０２５１７号公報
【発明の開示】
【発明が解決しようとする課題】
【０００５】
しかしながら、特許文献１に記載された水洗大便器は、便器本体のリム流路とゼット流路への給水量及び給水タイミングを調整できるようになっているので、効果的に便器洗浄をすることができるが、洗浄水の流路構造及びポンプの制御が複雑となるという問題点がある。
また、特許文献２の簡易水洗便器では、２００ｃｃ程度の少ない洗浄水を用いてボウル面に付着した汚物等を流せば良いだけの構造となっており、サイホン作用を用いた汚物の排出搬送を考慮した水洗便器ではないので、汚物の排出搬送に関し、問題がある。
【０００６】
一方、本発明者らは、貯水タンクの洗浄水をポンプで加圧して、便器本体のリム流路（リム吐水口）のみから吐水するタイプの水洗大便器を研究開発する際、上述したような特許文献１や特許文献２の水洗大便器が持つ問題点を解決する必要があり、さらに、節水の要請もある。
【０００７】
そこで、本発明は、従来からの課題を解決するためになされたものであり、汚物の排出性能が向上すると共にさせると共に節水も可能な水洗大便器を提供することを目的としている。
【課題を解決するための手段】
【０００８】
上記の目的を達成するために、本発明は、加圧した洗浄水によって洗浄される水洗大便器であって、ボウル部と、このボウル部上縁のリム部に設けられ洗浄水を吐出するリム吐水口と、サイホン作用により汚物を排出する排水トラップ管路とを備えた便器本体と、洗浄水を貯水する貯水タンクと、この貯水タンクに貯水された洗浄水を加圧してリム導水路を介してリム吐水口に供給する加圧ポンプと、サイホン作用によりボウル部の溜水面が低下するとき、ボウル部の溜水面の位置が所定レベル以下に低下しないように、加圧ポンプを制御して必要な流量の洗浄水を供給するポンプ制御手段と、を有することを特徴としている。
このように構成された本発明の水洗大便器においては、先ず、貯水タンクに貯水された洗浄水を加圧ポンプにより加圧してリム吐水口に供給し、このリム吐水口からボウル部へ洗浄水を吐出するようにしているので、水道水の圧力に影響を受けず、さらに、ゼット導水路を設ける必要がないので、構成部品も少なくなり、シンプルな構造の水洗大便器となる。また、リム吐水口のみから洗浄水によりボウル部を洗浄して汚物を排出するようにしているので、節水効果が大きい。次に、ポンプ制御手段が、サイホン作用によりボウル部の溜水面が低下するとき、ボウル部の溜水面の位置が所定レベル以下に低下しないように、加圧ポンプを制御して必要な流量の洗浄水を供給するようにしているので、サイホン作用が継続して維持され、これにより、ボウル部に浮遊している汚物を排水トラップ管路から速やかに排出することが出来る等の汚物の排出性能が向上する。
【０００９】
本発明において、好ましくは、ポンプ制御手段は、サイホン作用が発生するまでは比較的大流量の第１の流量の洗浄水を供給し、サイホン作用発生後は比較的小流量の第２の流量の洗浄水を供給するように加圧ポンプを制御する。
このように構成された本発明においては、サイホン作用発生後は比較的小流量の第２の流量の洗浄水を供給するように加圧ポンプを制御することにより、サイホン作用を継続して維持するようにしているので、節水の要請を満たし、さらに、サイホン作用終了時に発生するサイホン切れ音を低減できる。
【００１０】
本発明において、リム吐水口は、ボウル部に洗浄水の旋回流を形成するための第１リム吐水口及び排水トラップ管路の入口へ向かって洗浄水を流下させるための第２リム吐水口を有する。
このように構成された本発明によれば、第１リム吐水口から吐水される洗浄水がボウル部で旋回流となり、第２リム吐水口から吐水される洗浄水が排水トラップ管路の入口へ向かって流下するようになっているので、旋回流が、ボウル部の全面を洗浄しながら、排水トラップ管路に向かって流入するので、ボウル部全面を効果的に洗浄することができる。
【００１１】
本発明は、好ましくは、更に、第１リム吐水口と第２リム吐水口へ供給する洗浄水の量を分配するリム導水路に設けられた切替弁と、を有する。
このように構成された本発明によれば、切替弁により、第１リム吐水口と第２リム吐水口へ供給する洗浄水の量を適当に分配することにより、サイホン作用の継続を維持することができる。
【００１２】
本発明において、好ましくは、リム導水路及びリム吐水口は、一体で形成されたディストリビュータであり、このディストリビュータが便器本体にその一部として組み込まれている。
このように構成された本発明においては、リム導水路及びリム吐水口がディストリビュータとして、便器本体にその一部として組み込まれているので、便器本体の製造が容易となる。
【発明の効果】
【００１３】
本発明の水洗大便器によれば、汚物の排出性能が向上すると共にさせると共に節水も可能となる。
【発明を実施するための最良の形態】
【００１４】
次に、添付図面を参照して、本発明の実施形態による水洗大便器を説明する。
先ず、図１乃至図３により、本発明の第１実施形態による水洗大便器の構造を説明する。ここで、図１は、本発明の第１実施形態による水洗大便器を示す側面図であり、図２は図１に示す水洗大便器の内部構造を示す平面図であり、図３は本発明の第１実施形態による水洗大便器を示す全体構成図である。
【００１５】
図１に示すように、本発明の第１実施形態による水洗大便器１は、便器本体２と、この便器本体２の上面に配置された便座４と、便座４を覆うように配置されたカバー６と、便器本体２の後方上部に配置された局部洗浄装置８と、を備えている。さらに、便器本体２の後方には、機能部１０が配置されており、この機能部１０はサイドパネル１０ａにより覆われている。
【００１６】
便器本体２は陶器製であり、便器本体２には、汚物を受けるボウル部１２と、このボウル部１２の底部から延びる排水トラップ管路１４が形成されている。
この排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。このトラップ管路１４のトラップ下降管１４ｃの下端には、排水管Ｄが接続されている。
【００１７】
図２に示すように、便器本体２の内部には、詳細は後述するディストリビュータ１６が取り付けられており、このディストリビュータ１６には、リム吐水口１８が形成されている。
【００１８】
本実施形態による水洗大便器１は、洗浄水を供給する水道に直結されており、その水道からの洗浄水が、給水路１９を経て、後述する貯水タンク３２に貯水され、この貯留された洗浄水が加圧ポンプ３４によって加圧され、リム吐水口１８から便器本体２のボウル部１２に吐出させるようになっている。
【００１９】
次に、図２及び図３により、第１実施形態による水洗大便器１の機能部１０を詳細に説明する。
図３に示すように、機能部１０は、給水路１９を備え、この給水路１９には、上流側から、止水栓４２ａ、ストレーナ４２ｂ、分岐金具４２、定流量弁２０、電磁弁２２、が設けられている。この定流量弁２０は、止水栓４２ａ、ストレーナ４２ｂ、及び分岐金具４２ｃを介して入水口２０ａから流入した洗浄水を、所定の流量以下に絞るためのものである。本実施形態においては、この定流量弁２０は、洗浄水の流量を１５リットル／分以下に制限するようになっている。また、定流量弁２０を通過した洗浄水は、電磁弁２２を開操作することにより、電磁弁２２を通過して、貯水タンク３２に供給され、また、電磁弁２２を閉操作することにより、洗浄水の貯留タンク３２への流入を停止するようになっている。ここで、貯水タンク３２は、約４．６リットルの内容積を有する。
【００２０】
機能部１０には、電磁弁２２の開閉操作、及び、加圧ポンプ３４の回転数や作動時間等を制御するコントローラ４０が内蔵されている。
【００２１】
本実施形態においては、給水路１９の先端（下端）１９ａは、貯水タンク３２より上方の位置に開口されており、貯水タンク３２から給水路１９の先端１９ａへの逆流を防止している。また、貯水タンク３２の内部には、上端フロートスイッチ３２ｂ及び下端フロートスイッチ３２ｃが配置されており、貯水タンク３２内の水位を検出できるようになっている。上端フロートスイッチ３２ｂは、貯水タンク３２内の水位が所定の貯水水位に達するとオンに切り替わり、コントローラ４０はこれを検知して、電磁弁２２を閉鎖させる。一方、下端フロートスイッチ３２ｃは、貯水タンク３２内の水位が所定の水位まで低下するとオンに切り替わり、コントローラ４０はこれを検知して、加圧ポンプ３４を停止させる。
【００２２】
また、貯水タンク３２の上部には、その上端の開口部を覆うように蓋体３２ｄが取り付けられており、蓋体３２ｄの外周と貯水タンク３２上部の内壁面の間は水密的に接合されている。さらに、蓋体３２ｄには、円形の穴が設けられこの穴を取り囲むように、筒体３２ｅが上方に向けて延びるように取り付けられている。
また、貯水タンク３２の壁面３２ｇは、蓋体３２ｄよりも上方まで延びており、貯水タンク３２の筒体３２ｅから溢れた洗浄水は、蓋体３２ｄの上に溜まるようになっている。
なお、加圧ポンプ３４の下方には、水受けトレイ２ａが配置されており、結露した水滴や漏水を受けるようになっている。
【００２３】
貯水タンク３２の下端部には、洗浄水供給路４４が接続されており、この洗浄水供給路４４には、上述した加圧ポンプ３４が設けられている。加圧ポンプ３４は、貯水タンク３２に貯水された洗浄水を加圧して、ディストリビュータ１６を経由して、リム吐水口１８から吐出させるためのものである。本実施形態においては、加圧ポンプ３４は、貯水タンク３２内の洗浄水を加圧して、洗浄水を最大約１００リットル／分の流量でリム吐水口１８から吐出させるようになっている。
【００２４】
図２及び図３に示すように、洗浄水供給路４４の下端部には、リム導水路である上述したディストリビュータ１６が接続されている。
図２に示すように、ディストリビュータ１６は、樹脂製のフレキシブルなチューブであり、便器本体２のボウル部１２の上縁に形成された空間内に便器本体２の一部として組み込まれている。
【００２５】
ディストリビュータ１６は、洗浄水供給路４４との接続部１６ａ、導水部１６ｂ、分岐部１６ｃ、第１分配管１６ｄ、第２分配管１６ｅを備えている。ここで、第１分配管１６ｄの先端部には、リム吐水口１８の一部である１つの第１リム吐水口１８ａが形成されており、第２分配管１６ｅの途中部分には、リム吐水口１８の一部である２つの第２リム吐水口１８ｂが形成されている。ここで、図２に示すように、第１分配管１６ｄに設けられた第１リム吐水口１８ａから吐水される洗浄水Ａは、ボウル部１２の上縁部に沿って旋回する旋回流（主流）となり、ボウル部１２を洗浄するようになっている。また、第２分配管１６ｅに設けられた第２リム吐水口１８ｂから吐水される洗浄水Ｂは、排水トラップ管路１４の入口部１４ａに向けて流下する補助流となる。この第２リム吐水口１８ｂから流下する洗浄水Ｂにより、第１リム吐水口１８ａからの洗浄水Ａが、旋回しながら、次第に下方に移動するので、ボウル部１２の全面を洗浄することができるようになっている。
【００２６】
コントローラ４０は、使用者による便器洗浄スイッチ（図示せず）の操作により、加圧ポンプ３４と電磁弁２２とを順次作動させ、リム吐水口１８から吐水してボウル部１２を洗浄する。さらに、コントローラ４０は、洗浄終了後、加圧ポンプ３４の作動を継続し、電磁弁２２を開放した状態で、洗浄水を貯水タンク３２に補給する。貯水タンク３２内の水位が上昇し、上端フロートスイッチ３２ｂが規定の貯水量を検出すると、コントローラ４０は、電磁弁２２を閉鎖して給水を停止する。
【００２７】
次に、図４により、上述した本発明の第１実施形態による水洗大便器１の作用（動作）を説明する。図４は、本発明の第１実施形態による水洗大便器による基本動作を示すタイムチャートである。
図４に示すように、待機状態（時刻ｔ０〜ｔ１）において、便器洗浄スイッチ（図示せず）が操作されると、リム吐水が開始される（時刻ｔ１）。即ち、使用者が便器洗浄スイッチ（図示せず）を操作すると、コントローラ４０は、加圧ポンプ３４に信号を送って加圧ポンプ３４を作動させる。これにより、貯水タンク３２内の洗浄水は加圧され、ティストリビユータ１６を経由して、リム吐水口１８（第１リム吐水口１８ａ及び第２リム吐水口１８ｂ）からボウル部１２内に吐水され、ボウル部１２の洗浄が行われる。なお、加圧ポンプ３４は、作動直後から流量Ｑ１に至るまで徐々に給水量を増やしていくようにして、ディストリビュータ１６、洗浄水供給路４４内にある空気を圧縮させることなく排出させリム吐水口から洗浄水が吐水される際に発生する水飛びや異音を防止している。
【００２８】
また、加圧ポンプ３４により貯水タンク３２から洗浄水がリム吐水口１８に供給されることにより、貯水タンク３２の水位は下がり、上端フロートスイッチ３２ｂがオンとなり、コントローラ４０は電磁弁２２に信号を送って電磁弁２２を開放させる。電磁弁２２が開放されると、水道から供給された洗浄水が止水栓４２ａ、ストレーナ４２ｂ、分岐金具４２ｃを経て入水口２０ａから定流量弁２０に流入する。定流量弁２０では、水道の給水圧力が高い場合には、通過する洗浄水の流量が所定流量に制限され、給水圧力が低い場合には、洗浄水は流れを制限されることなくそのまま通過される。定流量弁２０を通過した洗浄水は、電磁弁２２を通過し、貯水タンク３２内に流入する。
【００２９】
ここで、本実施形態では、図４に示すように、電磁弁２２は、貯水タンク３２の水位をある程度高い水位に保つように、リム吐水のタイミング（時刻ｔ１）より遅れたタイミング（時刻ｔ８）で開放するようにしているが、これに限らず、電磁弁２２をリム吐水が終了する時刻（時刻ｔ６）前の適当なタイミングで開放するようにしても良い。即ち、電磁弁２２の開放による貯水タンク３２への給水タイミングは、貯水タンク３２の容量と洗浄水のリム吐水口１８への供給量とのバランスを適当に調整することにより、加圧ポンプ３４が、貯水タンク３２の貯水量が減っている状態で駆動することによって空気を吸い込み異音が発生したり、空気の吸い込みによって加圧ポンプ自体の故障を誘発しないようにすることが好ましい。
【００３０】
次に、ボウル部１２の洗浄が終了すると、時刻ｔ２において、排水トラップ管路１４内に洗浄水が流入し始め、時刻ｔ３において、満水状態となり、サイホン作用が発生する。このサイホン作用により、ボウル部１２内の溜水及び汚物は、排水トラップ管路１４に吸引され、排水管Ｄから排出される。本実施形態においては、以下に説明するように、この後も、時刻ｔ５までサイホン作用が継続する。
【００３１】
即ち、本実施形態においては、サイホン作用が発生すると、ボウル部１２内の洗浄水が排水トラップ管路１４内に急激に吸引されるため、ボウル部１２の溜水面Ｓ（図５参照）が低下するが、このとき、加圧ポンプ３４により、必要な流量Ｑ１の洗浄水を継続して供給しているため、ボウル部１２の溜水面Ｓが、排水トラップ管路１４の入口部１４ａの上端部１４ｅのレベルＳ１以下に低下しないようになっている（図５の（ｄ）参照）。
このように、加圧ポンプ３４によりリム吐水口１８からボウル部１２に供給される洗浄水量（第１リム吐水口１８ａと第２リム吐水口１８ｂの合計）は、サイホン作用が発生して溜水面Ｓが低下するとき、溜水面Ｓが、排水トラップ管路１４の入口部１４ａの上端部１４ｅのレベルＳ１以下に低下しないような流量Ｑ１に設定されている。
その結果、排水トラップ管路１４の入口部１４ａから空気が流入することがないので、サイホン作用が終了することなく継続するようになっている。このようにサイホン作用をさらに継続させることができるので、ボウル部１２に残る浮遊系の汚物を素早く排出することができる。
【００３２】
次に、時刻ｔ４において、加圧ポンプ３４の回転数を徐々に低下させることにより、リム吐水口１８からの洗浄水の量（リム洗浄水流量）が漸減する（時刻ｔ４〜ｔ５）、これにより、排水トラップ管路１４内に供給される水量が少なくなるため、サイホンは不安定となりサイホン作用（現象）はゆっくり自壊する。それにより、従来サイホン作用が急激に途切れることにより生じていたサイホン切れ音の発生を防止することができ、静かに汚物の排出動作が完了する。
【００３３】
次に、時刻ｔ５において、加圧ポンプ３４を再作動させ、時刻ｔ５〜ｔ６の間で、リム吐水口１８（第１リム吐水口１８ａ及び第２リム吐水口１８ｂ）からボウル部１２内に洗浄水が吐水され、ボウル部１４の復水（封水）が行われる。
【００３４】
その後、時刻ｔ６において、加圧ポンプ３４の作動が停止され、それにより、リム吐水口１８からの洗浄水の吐水が停止される。しかしながら、このとき、電磁弁２２を開状態に保持することにより、給水路１９から水道水（洗浄水）が、貯水タンク３２内に補給され（タンク給水され）、貯水タンク３２内の洗浄水が上端フロートスイッチ３２ｂのレベルまで満たされる。貯水タンク３２内が洗浄水で満たされると、時刻ｔ７において、電磁弁２２が閉操作されたＯＦＦとなり、水洗大便器の洗浄が終了する。
【００３５】
次に、図５により、本実施形態による水洗大便器におけるサイホン作用等について詳細に説明する。図５は、リム吐水による洗浄のメカニズム、即ち、サイホン作用等を説明するための図である。
図５（ａ）は待機状態を示し（図４の時刻ｔ０〜ｔ１）、ボウル部に水が貯留された状態となっている。次に、図５（ｂ）に示すように、リム吐水口１８からのリム吐水が開始され（図４の時刻ｔ１）、その洗浄水により、ボウル部の全面が洗浄される。次に、排水トラップ管路内に洗浄水が流入し始め（図４の時刻ｔ２）、次第に排水トラップ管路内が満水となり、サイホンが発生する（図４の時刻ｔ３）。次に、図５（ｃ）、（ｄ）に示すように、排水トラップ管路の入口部から空気が吸入され、サイホン作用が終わるきっかけとなる（図４の時刻ｔ３〜ｔ５）。
【００３６】
しかしながら、本実施形態においては、その後（図４のｔ３〜ｔ５）も、図５（ｅ）に示すように、リム吐水口１８からの吐水が継続され、上述したように、加圧ポンプ３４により、サイホン作用の継続に必要な流量の洗浄水を継続して供給しているため、ボウル部１２の溜水面Ｓが、排水トラップ管路１４の入口部１４ａの上端部１４ｅのレベルＳ１以下に低下しないようになっている。その結果、排水トラップ管路１４の入口部１４ａから空気が流入することがないので、サイホン作用が終了することなく継続する。
【００３７】
その後、図５（ｆ）に示すように、リム吐水の洗浄水の量が漸減し（図４のｔ４〜ｔ５）、これにより、トラップ内に供給される水量が少なくなるため、サイホンは不安定となりサイホン作用（現象）はゆっくり自壊する。それによりサイホン切れ音の発生を防止し、静かに汚物の排出動作が完了する。
次に、リム吐水が再開され（図４の時刻ｔ５）、図５（ｇ）に示すように、元の待機状態となる（図４の時刻ｔ６）。
【００３８】
なお、この後は、上述したように、時刻ｔ６において、リム吐水口１８からの洗浄水の吐水が停止され、このとき、給水路１９から水道水（洗浄水）が、貯水タンク３２内に補給され（タンク給水され）、貯水タンク３２内が洗浄水で満たされ、上端フロートスイッチ３２ｂがオフになることで電磁弁２２が閉となり、水洗大便器の洗浄が終了する。
【００３９】
次に、図６により、本発明の第１実施形態の変形例を説明する。図６は、本発明の第１実施形態の変形例による水洗大便器による基本動作を示すタイムチャートである。
この変形例では、時刻ｔ３においてサイホン作用が発生したとき、時刻ｔ９まで、加圧ポンプの回転数を低下させ、リム吐水口１８からの洗浄水の量をＱ２からＱ３に低減させるようにしている。これは、サイホン作用を発生させるためには、比較的大きな流量（＝Ｑ２）の洗浄水が必要であるが、一旦、サイホン作用が発生すると、比較的少ない流量（＝Ｑ３）の洗浄水を供給することにより、サイホン作用を維持できるからである。
【００４０】
この変形例においては、サイホン作用が一旦発生すると、その時点（時刻ｔ３）で、加圧ポンプの回転数を低減させて、時刻ｔ９からｔ４までの時間、所定の回転数に維持するようにしている。このときの流量Ｑ３の洗浄水を供給しつづけることにより、サイホン作用によりボウル部１２の溜水面Ｓが低下しても、ボウル部１２の溜水面Ｓが、排水トラップ管路１４の入口部１４ａの上端部１４ｅのレベルＳ１以下に低下しないようになっている。
その結果、この変形例においても、排水トラップ管路１４の入口部１４ａから空気が流入することがないので、サイホン作用が終了することなく継続するようになっている。このようにサイホン作用をさらに継続させることができるので、ボウル部１２に残る浮遊系の汚物を素早く排出することができる。
【００４１】
以上説明したように、本実施形態による水洗大便器においては、先ず、貯水タンク３２に貯水された洗浄水を加圧ポンプ３４により加圧してリム吐水口１８（第１リム吐水口１８ａ及び第２リム吐水口１８ｂ）に供給し、このリム吐水口１８（第１リム吐水口１８ａ及び第２リム吐水口１８ｂ）からボウル部１２へ洗浄水を吐出するようにしているので、水道水の圧力に影響を受けず、さらに、ゼット導水路を設ける必要がないので、構成部品も少なくなり、シンプルな構造の水洗大便器となる。また、リム吐水口１８のみから洗浄水によりボウル部１２を洗浄して汚物を排出するようにしているので、節水効果が大きい。
【００４２】
次に、サイホン作用によりボウル部１２の溜水面Ｓが低下しても、コントローラ４０が、ボウル部１２の溜水面Ｓの位置が排水トラップ管路１４の入口部１４ａの上端部１４ｅのレベルＳ１以下に低下しないように、加圧ポンプ３４を制御して必要な流量の洗浄水を供給するようにしているので、サイホン作用が継続して維持され、これにより、ボウル部１２に浮遊している汚物を排水トラップ管路１４から速やかに排出することが出来る等の汚物の排出性能が向上する。
【００４３】
また、本実施形態による水洗大便器においては、図６に示すように、サイホン作用が発生するまでは比較的大流量の流量Ｑ１の洗浄水を供給し、サイホン作用発生後は比較的小流量の流量Ｑ２の洗浄水を供給するように加圧ポンプ３４を制御することにより、サイホン作用を継続して維持するようにしているので、節水の要請を満たし、さらに、サイホン作用終了時に発生するサイホン切れ音を低減できる。
【００４４】
また、本実施形態による水洗大便器においては、リム吐水口１８は、ボウル部に洗浄水の旋回流を形成するための第１リム吐水口１８ａ及び排水トラップ管路１４の入口部１４ａへ向かって洗浄水を流下させるための第２リム吐水口１８ｂを有する。その結果、第１リム吐水口１８ａから吐水される洗浄水がボウル部１２で旋回流となり、第２リム吐水口１８ｂから吐水される洗浄水が排水トラップ管路１４の入口部１４ａへ向かって流下することにより、旋回流が、ボウル部１２の全面を洗浄しながら、排水トラップ管路に向かって流入するので、ボウル部全面を効果的に洗浄することができる。
【００４５】
さらに、本実施形態による水洗大便器によれば、リム吐水口１８を備えたディストリビュータ１６が便器本体２にその一部として組み込まれているので、便器本体２の製造が容易となる。
【００４６】
次に、図７及び図８により、本発明の第２実施形態による水洗大便器を説明する。この第２実施形態は、第１実施形態と異なる部分のみ説明する。図７に示すように、この第２実施形態では、ディストリビュータ１６の分岐部１６ａに、第１リム吐水口１８ａと第２リム吐水口１８ｂへ供給される洗浄水の量を分配するための切替弁１６ｆが設けられている。
【００４７】
この第２実施形態による水洗大便器における基本動作は、図４又は図６に示された動作と同じであるが、それに加えて、以下のような切替弁１６ｆの操作を行うようになっている。
即ち、図４の時刻ｔ１〜ｔ３までの時間では、切替弁１６ｆを、図８（ａ）に示すように、分配割合を５０対５０（モード１）にして、第１リム吐水口１８ａと第２リム吐水口１８ｂから吐水される洗浄水の量をほぼ等しくする。これにより、第２リム吐水口１８ｂから流下する洗浄水Ｂ（補助流）により、第１リム吐水口１８ａからの洗浄水Ａ（主流）が、旋回しながら、次第に下方に移動するので、ボウル部１２の全面を洗浄することができる。
【００４８】
次に、図４の時刻ｔ３において、サイホン作用が発生したとき、切替弁１６ｆを、図８（ｂ）に示すように、分配割合を３０対７０（モード２）にして、第１リム吐水口１８ａから吐水される洗浄水の量を少なくし且つ第２リム吐水口１８ｂから吐水される洗浄水の量を多くして、所謂被せ水となる補助流の水量を増大させる。これにより、サイホン作用が終了することなく継続させることができる。
この結果、第２実施形態においても、サイホン作用をさらに継続させることにより、ボウル部１２に残る浮遊系の汚物を素早く排出することができる。
【００４９】
さらに、第２実施形態においては、図６に示す基本動作に加えて、切替弁１６ｆの操作を、上述したモード１及びモード２のように行うようにしても良い。
【図面の簡単な説明】
【００５０】
【図１】本発明の第１実施形態による水洗大便器を示す側面図である。
【図２】図１に水洗大便器の内部構造を示す平面図である。
【図３】本発明の第１実施形態による水洗大便器を示すの全体構成図である。
【図４】本発明の第１実施形態による水洗大便器の基本動作を示すタイムチャートである。
【図５】本発明の第１実施形態による水洗大便器によるサイホン作用等を説明するための図である。
【図６】本発明の第１実施形態の変形例による水洗大便器の基本動作を示すタイムチャートである。
【図７】本発明の第２実施形態による水洗大便器の内部構造を示す平面図である。
【図８】本発明の第２実施形態による水洗大便器のリム吐水口からの吐水状態を示す平面図である。
【符号の説明】
【００５１】
１  水洗大便器
２  便器本体
１０  機能部
１２  ボウル部
１４  排水トラップ管路
１４ａ  入口部
１６    ディストリビュータ
１６ｆ  切替弁
１８    リム吐水口
１８ａ  第１リム吐水口
１８ｂ  第２リム吐水口
１９  給水路
２０  定流量弁
２２  電磁弁
３２  貯水タンク
３４  加圧ポンプ
４０  コントローラ
４４  洗浄水供給路
【図１】
2008240323.tif 000003
【図２】
2008240323.tif 000004
【図３】
2008240323.tif 000005
【図４】
2008240323.tif 000006
【図５】
2008240323.tif 000007
【図６】
2008240323.tif 000008
【図７】
2008240323.tif 000009
【図８】
2008240323.tif 000010